(57)【要約】【課題】使用者が多項目の選択肢から所望の項目を設定する際の、操作の煩わしさを緩和できる過熱装置を提供する。【解決手段】操作パネル内にあるロータリーエンコーダを低速で回転させたときを低速設定モードとし、高速で回転させたときを高速設定モードとし、設定モードを２区分する。低速設定モードではロータリーエンコーダを１クリック回すごとに、設定項目を一つずつ変化させ、高速設定モードでは設定項目をグループ単位、区切りのいい設定値単位などで変化させることにより、多項目の選択肢の中から所望の設定値を短時間で設定し得る、操作性の高い加熱装置を提供できる。【選択図】図４
2011085285.tif 000002
【特許請求の範囲】
【請求項１】
食品を収納する加熱室と、前記加熱室内の食品を加熱する加熱手段と、操作子を備えた入力手段と、表示手段と、入力された加熱条件に従って前記加熱手段および前記表示手段を制御する制御手段とを備え、
前記制御手段は、前記入力手段から出力される信号に基づき、設定モードを低速設定モード及び高速設定モードのいずれかに設定することを特徴とする加熱調理器。
【請求項２】
入力手段としてロータリーエンコーダを備え、前記ロータリーエンコーダが一定の角速度以上で回転した時に前記入力手段から出力される信号に基づいて、前記制御部は前記設定モードを低速設定モード及び高速設定モードのいずれかに設定することを特徴とする請求項１に記載の加熱調理器。
【請求項３】
入力手段が操作スイッチであり、前記操作スイッチが長時間押し続けられた時に前記入力手段から出力される信号に基づいて、前記制御部は前記設定モードを低速設定モード及び高速設定モードのいずれかに設定することを特徴とする請求項１に記載の加熱調理器。
【請求項４】
入力手段が操作スイッチであり、前記操作スイッチが短時間のうちに多数回操作された時に前記入力手段から出力される信号に基づいて、前記制御部は前記設定モードを低速設定モード及び高速設定モードのいずれかに設定することを特徴とする請求項１に記載の加熱調理器。
【請求項５】
低速設定モードから前記高速設定モードへの遷移条件と、前記高速設定モードから前記設定検索モードへの遷移条件とが個別に設定されていることを特徴とする請求項１から４のいずれか１項に記載の加熱調理器。
【請求項６】
高速設定モード中の設定値の変化量を、区切りのいい単位で変化させることを特徴とする請求項１から５のいずれか１項に記載の加熱調理器。
【発明の詳細な説明】
【技術分野】
【０００１】
本発明は、多数の選択肢の中より、所望の項目を選択する際の、利便性に配慮した加熱調理器に関するものである。
【背景技術】
【０００２】
代表的な加熱装置である電子レンジは、例えばボタンやロータリーエンコーダ等の入力手段からの信号を元に使用者が調理したいメニューの選択や、加熱時間などの情報を任意に設定できるようにされている（例えば、特許文献１参照）。
【０００３】
図６はこの従来例を示し、これは、まず操作パネル１上にあるロータリーエンコーダ２を右に回すと、表示部３に選択されたメニューを表示する。そしてスタートボタン４を押すと、メニューが決定され、調理時間の設定待ち状態となる。そこでロータリーエンコーダ２を回すと、回した量に応じた調理時間が表示部３に表示される。このように、ボタンは所望のメニュー、加熱時間の設定に、何度も押下する操作する必要があり、操作の手間が煩わしいが、ロータリーエンコーダ２は、目的のメニューや加熱時間の設定をすばやくでき、操作に必要な入力手段を簡単化し、操作性を向上させることができるという効果がある。
【先行技術文献】
【特許文献】
【０００４】
【特許文献１】特開２００４−２６３９２９号公報
【発明の概要】
【発明が解決しようとする課題】
【０００５】
近年のオーブンレンジ等の加熱調理器は、高機能化、多機能化が進むとともに、様々なレシピ（調理メニュー）を多数装備し、多様化する使用者の嗜好にあわせる必要があるため、多数の選択項目が用意されている。使用者は多数の設定項目の中から所望の設定値をエンコーダなどの入力装置を用いて、設定する必要がある。
【０００６】
例えば、ロータリーエンコーダ２であれば、回転に伴い発せられる信号をマイクロコンピュータで感知し、信号の変移により、右方向あるいは左方向に回されたかを読み取ることができるとともに、回転量に応じて設定値を増減できるようになっている。ロータリーエンコーダ２を一定の角度回転させる毎に設定値が変化し、次の設定値が表示されるので、多数の設定値が用意されていると、ロータリーエンコーダ２を素早く回転させて、所望の設定値を素早く設定できることが必要となる。
【０００７】
ところが、ロータリーエンコーダ２の回転速度を早くすると、現在設定されている設定値を表示する時間が極めて短時間となるため、設定値が認識しづらくなり、設定がどこまで進んでいるのかも認識しづらくなる。したがって、従来はロータリーエンコーダ２の回転を度々止めて、設定値がどこまで進んだかを判断する必要があり、その結果、所望の設定値に設定できるまでの時間が長くかかることとなっていた。また、設定値の項目数が多いと、所望の設定値に到達するまで、何度もロータリーエンコーダ２を回転させねばならず、使い勝手が悪いという課題を有していた。
【０００８】
本発明は、このような課題を解決するもので、多数の項目の中から所望の項目を短時間のうちに選択できることができる加熱調理器を提供することを目的とするものである。
【課題を解決するための手段】
【０００９】
前記従来の課題を解決するために、本発明の加熱調理器は、食品を収納する加熱室と、前記加熱室内の食品を加熱する加熱手段と、ロータリーエンコーダやスイッチ等の操作子を備えた入力手段と、表示手段と、入力された加熱条件に従って前記加熱手段および前記表示手段を制御する制御手段とを備え、前記制御手段は、前記入力手段から出力される信号に基づき、表示モードを低速設定モード及び高速設定モードのいづれかに設定するものである。低速設定モードにおいては、設定値をひとつずつ変化させ、高速設定モードにおいては、設定値を所定量あるいは、区切りのよい値になるように変化させ、前記表示部に選択中の設定値を表示するものである。
【発明の効果】
【００１０】
本発明においては、操作子に対し行われた操作に応じて、設定モードを低速設定モード及び高速設定モードのいづれかに設定することで、低速設定モードでは設定を合わせやすく、高速設定モードでは、所望の設定値におおよそ近い設定値へ設定をすばやく変移させることができる、使用者の設定時の煩わしさが軽減できる加熱調理器を提供できる。
【図面の簡単な説明】
【００１１】
【図１】本発明の実施の形態１における加熱調理器のシステム概略図
【図２】制御手段の電気的構成を示すブロック図
【図３】本発明の加熱調理器に用意されている自動調理メニューの一覧を示す図
【図４】同制御部の制御内容を示すフローチャート
【図５】図４の続きの同制御部の制御内容を示すフローチャート
【図６】従来例の加熱調理器のシステム概略図
【発明を実施するための形態】
【００１２】
第１の発明は、食品を収納する加熱室と、前記加熱室内の食品を加熱する加熱手段と、操作子を備えた入力手段と、表示手段と、入力された加熱条件に従って前記加熱手段および前記表示手段を制御する制御手段とを備え、前記制御手段は、前記入力手段から出力される信号に基づき、設定モードを低速設定モード及び高速設定モードのいずれかに設定することを特徴とする。
【００１３】
これにより、操作子に対し行われた操作に応じて、操作部から出力される信号に基づき、設定モードを低速設定モード及び高速設定モードのいづれかに設定する。例えば操作子がロータリーエンコーダの場合は、ロータリーエンコーダの回転が低速の場合は、低速設定モードに設定し、ロータリーエンコーダの回転が高速の場合は、高速設定モードに設定する。
【００１４】
設定モードが低速設定モードである場合は、例えば調理メニューを設定する場合は、表示部に表示されるメニュー名やメニュー番号などの情報がひとつづつ操作に応じて変化していくような見え方となる。加熱時間の設定をする場合には、設定しうる時間を設定されている時間に応じて、例えば設定されている時間が短い場合は１０秒などの単位での設定値の変化がなされていく。
【００１５】
設定モードが高速設定モードである場合、調理メニューを設定する場合においては、調理メニューの順序が特定の区分毎に並んでいれば、焼き物、蒸し物などの区分の先頭メニューに設定を遷移させたり、調理メニューが五十音順やアルファベット順に並んでいれば、五十音の各行（あ行、か行など）の先頭の文字（あ、か、など）、アルファベットの文字（ａ，ｂ，など）の単位で、メニューを遷移させたりする。
【００１６】
これらのことにより、使用者が設定したい内容をすばやく検索することができる。
【００１７】
このように、操作子に対し行われた操作に応じて、設定モードを低速設定モード及び高速設定モードのいづれかに設定することで、低速設定モードでは設定を合わせやすく、高速設定モードでは、所望の設定値におおよそ近い設定値へ設定をすばやく変移させることができる、使用者の設定時の煩わしさが軽減できる加熱調理器を提供できる。
【００１８】
第２の発明は、第１の発明において特に、入力手段としてロータリーエンコーダを備え、前記ロータリーエンコーダが一定の角速度以上で回転したときに前記入力手段から出力される信号に基づいて、前記制御部は前記設定モードを低速設定モード及び高速設定モードのいずれかに設定することを特徴とする。
【００１９】
第３の発明は、第１の発明において特に、入力手段が操作スイッチであり、前記操作スイッチが長時間押し続けられた時に前記入力手段から出力される信号に基づいて、前記制御部は前記設定モードを低速設定モード及び高速設定モードのいづれかに設定することを特徴とする。
【００２０】
第４の発明は、第１の発明において特に、入力手段が操作スイッチであり、前記操作スイッチが短時間のうちに多数回操作された時に前記入力手段から出力される信号に基づいて、前記制御部は前記設定モードを低速設定モード及び高速設定モードのいづれかに設定することを特徴とする。
【００２１】
第５の発明は、第１から４の発明のいずれか１つの発明において、低速設定モードから前記高速設定モードへの遷移条件と、前記高速設定モードから前記設定検索モードへの遷移条件とが個別に設定されていることを特徴とする。
【００２２】
第６の発明は、第１から５のいずれか１つの発明において、高速設定モード中の設定値の変化量を、区切りのいい単位で変化させることを特徴とする。
【００２３】
以下、本発明の実施の形態について、図面を参照しながら説明する。なお、この実施の形態によって本発明が限定されるものではない。
【００２４】
（実施の形態１）
図１は本発明の実施の形態１における加熱調理器の外観図である。
【００２５】
図１において、この加熱調理器は、被加熱物を収納する加熱室５と、加熱室５に被加熱物を出し入れする際に開閉するドア６と、加熱調理器の前面に操作パネル７を設けてある。この操作パネル７には、使用者が加熱メニューの選択や加熱開始の指示などを行う各種操作スイッチ８やロータリーエンコーダ９や、必要な表示を行う表示手段１０が設けられている。
【００２６】
図２は本発明の加熱調理器における機能ブロック図である。図２において、マイクロコンピューターを主体に構成した制御手段１１には、スタートスイッチを含む各種の操作スイッチ８、ロータリーエンコーダ９、加熱室５内の温度を検出する温度センサー１２からの信号が入力されるようになっており、食品を加熱するための加熱手段１３へ信号を出力し、加熱動作を行うようになっている。制御手段１１は、これらの信号に基づき予め記憶されたされたプログラムに従って表示手段１０に調理メニュー名、加熱時間、付属品の情報などを表示するとともに、加熱手段１３に対し、加熱動作を指示するものである。
【００２７】
操作パネル７内にあるロータリーエンコーダ９を右方向あるいは左方向に回転させると、一定の回転角度毎に制御手段１１にパルス信号（以下、クリック信号と称する）と、回
転方向を示す信号とが出力される。制御手段１１は通常低速設定モードとして動作する。低速設定モードである時にロータリーエンコーダ９を回転させ、５０ｍｓｅｃ未満の間隔でクリック信号が３回以上連続して入力された場合は、ロータリーエンコーダ９からの出力を制御手段１１で感知し、高速設定モードとする。一方、高速設定モードである時に、ロータリーエンコーダ９が５０ｍｓｅｃの間、回転されない場合は、制御手段１１は低速回転モードに設定モードを遷移させるものとする。
【００２８】
図３は、本発明の実施の形態１における加熱調理器に用意されている自動調理メニューの一覧を示す図である。この自動調理メニューの一覧は、表示手段１０をドットマトリクスで構成した場合の表示画面例であり、１画面内に１カテゴリーのメニューを最大６メニュー羅列表示したものである。
【００２９】
低速回転モードにおいて、ロータリーエンコーダ９を右方向に回した場合の、本発明の加熱調理器の振る舞いを以下に述べる。初めに「カテゴリー１．あたため」と称するメニューカテゴリーで示した６つのメニュー群が表示され、左端の「スチームあたため」というメニューの欄がネガポジ反転され、そのメニューに設定されたことを示す表示状態となる。さらに、ロータリーエンコーダ９を右方向に回す毎に、「カリッとフライ」、「焼き魚あたため」、「飲み物」、「酒かん」、「中華まん」と設定を合わせることができる。
【００３０】
さらにロータリーエンコーダ９を右方向に回すと、「カテゴリー１．あたため」の次のメニューカテゴリーである、「カテゴリー２．解凍・ゆで野菜」のメニューカテゴリーに設定が移り、その最初のメニューであるスチーム全解凍に合わせることが出来る。以降、さらにロータリーエンコーダ９を右方向に回すと同じ要領で、最終のメニューカテゴリー、つまり「カテゴリー１１．お手入れ」の最後のメニューである水受皿まで設定を順に合わせることができるようになっている。ロータリーエンコーダ９を左方向に回した場合は、上述の反対方向にメニューを合わせることができる。
【００３１】
高速回転モードにおいて、ロータリーエンコーダ９を右方向に回した場合、現在設定されているメニューの属するメニューカテゴリーの次のメニューカテゴリーの表示画面に移り、そのメニューカテゴリー内の先頭メニューつまり画面の左上に配置されるメニューに合わせられる。引き続き高速回転モードのままロータリーエンコーダ９を右方向に回した場合、その次のメニューカテゴリーの先頭メニューに合わせられる。高速回転モードにおいて、ロータリーエンコーダ９を左方向に回した場合、現在設定されているメニューの属するメニューカテゴリーの前のメニューカテゴリーの表示画面に移り、そのメニューカテゴリー内の先頭メニュー、つまり画面の左上に配置されるメニューに合わせられる。引き続き高速回転モードのままロータリーエンコーダ９を左方向に回した場合、その前のメニューカテゴリーの先頭メニューに合わせられる。
【００３２】
この動きを図４と図５のフローチャートを用いながら説明する。
【００３３】
図４において、電源が投入される（Ｓ０１）と、低速設定モードに設定する（Ｓ０２）。現在が低速設定モードであるかを判定し（Ｓ０３）、低速モードである場合は、ロータリーエンコーダ９からのクリック信号があると（Ｓ０４−Ｙｅｓ）、本実施例では５０ｍｓｅｃ未満の間隔でクリック信号を３回以上入力された場合に（Ｓ０５−Ｙｅｓ）、高速設定モードとし（Ｓ０６）、図５におけるＳ１５に遷移し、高速設定モード時の設定の変更判定処理に移るものとする。高速回転モードに遷移する前の状態では（Ｓ０５−Ｎｏ）、低速回転モード時の変更判定処理を実施する。
【００３４】
この時、ロータリーエンコーダ９からの入力信号が正回転方向であった場合（Ｓ０７−Ｙｅｓ）、現在設定されているメニューが全メニューの中で最終のメニューでなければ（
Ｓ０８）、調理メニューの設定を１つ後ろのメニューに変更する（Ｓ０９）。また、ロータリーエンコーダ９からの入力信号が逆回転方向であった場合（Ｓ０７−Ｎｏ）、現在設定されているメニューが全メニューの中で先頭のメニューでなければ（Ｓ１０）、調理メニューの設定を１つ前のメニューに変更する（Ｓ１１）。
【００３５】
また、Ｓ０３において、高速回転モードであった場合（Ｓ０３−Ｎｏ）、本実施の形態では、５０ｍｓｅｃの間隔でクリック信号が入力されなかった場合は（Ｓ１２−Ｙｅｓ）、低速回転モードに戻る（Ｓ１３）ものとし、低速回転モードに戻らない間は、５０ｍｓｅｃ経過する毎（Ｓ１４−Ｙｅｓ）に高速設定モード時の設定の変更判定処理（Ｓ１５）に移るものとする。このように高速設定モード中は、高速設定モードから低速設定モードに変化しない間は、定期的に、調理メニューを変更する処理とすることで一定間隔でメニューカテゴリーが更新されることで、所定時間の間は、一つのメニューカテゴリーを継続して表示手段１０に表示できるため、メニューカテゴリーの認知をし易くすることができる。
【００３６】
次に図５において、高速設定モード時の調理メニュー設定変更判定処理の処理内容を説明する。
【００３７】
まず、現在のロータリーエンコーダ９の回転方向が前回時点と比較して、反対方向に回転されたと認識された場合は（Ｓ１５−Ｙｅｓ）、調理メニューならびにメニューカテゴリーの更新を行わない。このことにより、ロータリーエンコーダ９の回転信号が変異した時のスパイク状のノイズが発生しても回転方向の誤認識の恐れを除去することができる。ロータリーエンコーダ９の回転方向が前回時点と比較して、同一方向に回転されたと認識された場合（Ｓ１５−Ｎｏ）、現在の回転方向が正転方向であれば（Ｓ１６−Ｙｅｓ）、高速回転モードにおける設定メニューならびにメニューカテゴリーの正方向への更新を行う（Ｓ１７〜Ｓ１９）。現在の回転方向が逆転方向であれば（Ｓ１６−Ｎｏ）、高速回転モードにおける設定メニューならびにメニューカテゴリーの逆方向への更新を行う（Ｓ２０〜Ｓ２２）。
【００３８】
Ｓ１７において、現在設定中の調理メニューが最終のメニューカテゴリーに属さない場合（Ｓ１７−Ｎｏ）、次のメニューカテゴリーの先頭メニューに調理メニューを更新する（Ｓ１８）。現在設定中の調理メニューが最終のメニューカテゴリーに属する場合（Ｓ１７−Ｙｅｓ）、最終の調理メニューに更新する（Ｓ１９）。Ｓ２０において、現在設定中の調理メニューが先頭のメニューカテゴリーに属さない場合（Ｓ２０−Ｎｏ）、一つ前のメニューカテゴリーの先頭メニューに調理メニューを更新する（Ｓ２１）。現在設定中の調理メニューが先頭のメニューカテゴリーに属する場合（Ｓ２０−Ｙｅｓ）、先頭の調理メニューに更新する（Ｓ２２）。
【００３９】
本実施の形態においては、ロータリーエンコーダ９を低速で回転させた場合は、１つずつ調理メニューの設定を更新させ、高速で回転させた場合は、１カテゴリー分、調理メニューを変化させることにより、調理メニューの設定を飛ばして設定できるため、多数ある調理メニューをすべて１つずつ進めながら設定するのに比べ、短時間に所望のメニューが属するメニューカテゴリー画面に到達することが出来、従来に比べて、使い勝手が大幅に向上することができる。
【００４０】
また、現在の調理メニューが属するメニューカテゴリーの名前を表示手段１０あるいは、ＬＥＤなどの別の表示手段で表示できる構成とすれば、現在設定されているメニューカテゴリーが何であるか、また、全体のメニューカテゴリーのうちの何番目にあるかが視覚的に識別でき、多数の調理メニューの中から、所望の調理メニューの設定を短時間に検索でき、従来に比べて、使い勝手をさらに向上させることができるものである。
【００４１】
（実施の形態２）
上述した実施の形態１において、調理メニューの設定に関して、低速回転モードならびに高速な移転モードにおける調理メニューの設定変更方法について述べたが、例えば、加熱時間の設定を行う場合において、低速回転モードにおいては、ロータリーエンコーダ９の１クリック当たりの調理時間の設定の可変幅を１０秒刻みとし、細かく調理時間を設定できるようにしている。設定されている調理時間が長時間となる場合は、１０秒刻みほどの細かい調理時間の設定刻みが不要であるので、設定されている調理時間の長さに応じて、可変刻みを３０秒、１分、５分、１０分と切り替わるようにしている。
【００４２】
高速回転モードにおいては、低速回転モードにて設定する際の刻み幅をさらに大きくすることで、調理時間を長時間設定する際の操作時間を短縮することができ、従来に比べて、使い勝手をさらに向上させることができるものである。
【００４３】
その他、設定温度の変更や、時計機能における現在時刻の設定、あるいはタイマー予約機能の時間設定の際などにも、上述の低速回転モード、高速回転モードにおける設定の幅を変えることで、使い勝手が向上できる。
【００４４】
なお、上記実施の形態１、２のでは、ロータリーエンコーダ９により、設定する例を示したが、本発明はこれに限定されるものではない。「▲」ボタンや「＋（プラス）」ボタン等や、「▼」ボタンや「−（マイナス）」ボタン等を配置し、「▲」ボタンや「＋（プラス）」ボタン等を短時間（例えば２秒未満）押したときを、ロータリーエンコーダ９を右方向に１クリック回転させた状態と同じものとし、長時間（例えば２秒以上）押したときを、ロータリーエンコーダ９を右方向に高速で回転させた状態と同じとするとしてもよい。また、「▼」ボタンや「−（マイナス）」ボタン等を短時間（例えば２秒未満）押したときを、ロータリーエンコーダ９を左方向に１クリック回転させた状態と同じものとし、長時間（例えば２秒以上）押したときを、ロータリーエンコーダ９を左方向に高速で回転させた状態と同じとするとしてもよい。
【００４５】
あるいは、ボタン等を所定時間（例えば１００ｍｓｅｃ）以内に所定回数（例えば２回）未満押した時を、ロータリーエンコーダ９を方向に１クリック回転させた状態と同じものとし、所定時間（例えば１００ｍｓｅｃ）以内に所定回数（例えば２回）以上押した時を、ロータリーエンコーダ９を高速で回転させた状態と同じとするとしても同様の効果を得ることができる。
【産業上の利用可能性】
【００４６】
以上のように、本発明は、ロータリーエンコーダや、スイッチなどによる操作子を早く操作したり、長時間押し続けたりして、設定モードを低速設定モードや高速設定モードに分け、多項目の設定項目を短時間に設定することができるので、操作子を用いた種々の装置にも適用することができる。
【符号の説明】
【００４７】
５  加熱室
６  ドア
７  操作パネル
８  操作スイッチ
９  ロータリーエンコーダ
１０  表示手段
１１  制御手段
１２  温度センサー
１３  加熱手段
【図２】
2011085285.tif 000003
【図４】
2011085285.tif 000004
【図５】
2011085285.tif 000005
【図１】
2011085285.tif 000006
【図３】
2011085285.tif 000007
【図６】
2011085285.tif 000008